(57)【要約】【課題】  ディスプレイパネル及び印刷回路基板で発生した熱は、ヒートスプレッディングモジュールを通じて分散されて効率的に放熱されるディスプレイ装置を提供する。【解決手段】  ディスプレイパネルと、ディスプレイパネルと対応する形状に形成されて、ディスプレイパネルの後面を支持する板状のヒートスプレッディングモジュールと、ヒートスプレッディングモジュールの後面に設置される印刷回路基板と、を含む。【選択図】      図１
2014013378.tif 000002
【特許請求の範囲】
【請求項１】
ディスプレイパネルと、
前記ディスプレイパネルと対応する形状に形成されて、前記ディスプレイパネルの後面を支持する板状のヒートスプレッディングモジュールとを含み、
前記ヒートスプレッディングモジュールは、板状に形成された少なくとも一つのヒートスプレッダを含み、
少なくとも一つの前記ヒートスプレッダは、内部に注入される作動流体と、前記作動流体の案内のためにその内部に設けられた少なくとも一つのチャネルとを含む、ディスプレイ装置。
【請求項２】
前記ディスプレイパネルは、有機発光ダイオードパネルで形成される、請求項１に記載のディスプレイ装置。
【請求項３】
前記ヒートスプレッディングモジュールの後面に配置される少なくとも一つの印刷回路基板を含む、請求項１に記載のディスプレイ装置。
【請求項４】
少なくとも一つのヒートスプレッダは、幅と、前記幅に比べて長い長さを有するように形成される、請求項１に記載のディスプレイ装置。
【請求項５】
少なくとも一つの前記ヒートスプレッダは、その幅方向に互いに連結される複数のヒートスプレッダを含む、請求項１に記載のディスプレイ装置。
【請求項６】
前記ヒートスプレッディングモジュールは、前記ディスプレイパネルの左右幅と対応する長さを有し、
複数の前記ヒートスプレッダは、前記ディスプレイパネルの上下幅と対応するように上下方向に互いに連結される、請求項５に記載のディスプレイ装置。
【請求項７】
前記ヒートスプレッディングモジュールは、前記ディスプレイパネルの上下幅と対応する長さを有する複数の前記ヒートスプレッダを含み、
複数の前記ヒートスプレッダは、前記ディスプレイパネルの左右幅と対応するように左右方向に互いに連結される、請求項５に記載のディスプレイ装置。
【請求項８】
複数の前記ヒートスプレッダは、前記ディスプレイパネルの左右幅と対応する長さを有するように、その長手方向に互いに連結されて一つの列を形成し、
前記ヒートスプレッディングモジュールは、前記ディスプレイパネルの上下幅と対応するように、その幅方向に互いに連結された複数列のヒートスプレッダを含み、
長手方向に互いに連結された前記ヒートスプレッダの連結部位は、隣接した列の前記ヒートスプレッダの連結部位とずれるように連結される、請求項５に記載のディスプレイ装置。
【請求項９】
前記チャネルは、前記ヒートスプレッダの長手方向に延び、複数個が前記ヒートスプレッダの幅方向に並設される、請求項１に記載のディスプレイ装置。
【請求項１０】
前記ヒートスプレッディングモジュールは、前記ヒートスプレッダと同一平面に配置されて、前記ヒートスプレッディングモジュールの強度を補強する補強フレームを含む、請求項１に記載のディスプレイ装置。
【請求項１１】
前記補強フレームは、水平方向に延びる少なくとも一つの水平部と、垂直方向に延びる少なくとも一つの垂直部と、を含む、請求項１０に記載のディスプレイ装置。
【請求項１２】
少なくとも一つの前記水平部は、互いに平行に上下に離隔配置された一対の水平部を含み、
前記垂直部は、その上端及び下端が一対の前記水平部の中央部にそれぞれ連結される一つの垂直部を含み、
少なくとも一つの前記ヒートスプレッダは、複数個が互いに幅方向に連結されて、前記水平部どうし間に配置される、請求項１１に記載のディスプレイ装置。
【請求項１３】
少なくとも一つの前記水平部は、互いに平行に上下に離隔配置された複数の水平部を含み、
前記垂直部は、その上端及び下端が一対の前記水平部の中央部にそれぞれ連結される一つの垂直部を含み、
少なくとも一つの前記ヒートスプレッダは、前記水平部と交互に配置される複数の前記ヒートスプレッダを含む、請求項１１に記載のディスプレイ装置。
【請求項１４】
有機発光ダイオードパネルからなるディスプレイパネルと、
前記ディスプレイパネルと対応する形状に形成されて、前記ディスプレイパネルの後面を支持し、前記ディスプレイパネルで発生した熱を分散させる板状のヒートスプレッディングモジュールと、
前記ヒートスプレッディングモジュールの後面に設置される少なくとも一つの印刷回路基板と、を含む、ディスプレイ装置。
【請求項１５】
前記ヒートスプレッディングモジュールは、幅と、前記幅に比べて長い長さを有するように形成された複数のヒートスプレッダを含む、請求項１４に記載のディスプレイ装置。
【請求項１６】
複数の前記ヒートスプレッダは、その幅方向に互いに連結される複数のヒートスプレッダを含む、請求項１５に記載のディスプレイ装置。
【請求項１７】
前記ヒートスプレッディングモジュールは、前記ディスプレイパネルの左右幅と対応する長さを有し、
複数の前記ヒートスプレッダは、前記ディスプレイパネルの上下幅と対応するように上下方向に互いに連結される、請求項１６に記載のディスプレイ装置。
【請求項１８】
前記ヒートスプレッディングモジュールは、前記ディスプレイパネルの上下幅と対応する長さを有する複数の前記ヒートスプレッダを含み、
複数の前記ヒートスプレッダは、前記ディスプレイパネルの左右幅と対応するように左右方向に互いに連結される、請求項１６に記載のディスプレイ装置。
【請求項１９】
複数の前記ヒートスプレッダは、前記ディスプレイパネルの左右幅と対応する長さを有するように、その長手方向に互いに連結されて一つの列を形成し、
前記ヒートスプレッディングモジュールは、前記ディスプレイパネルの上下幅と対応するように、その幅方向に互いに連結された複数列のヒートスプレッダを含み、
長手方向に互いに連結された前記ヒートスプレッダの連結部位は、隣接した列の前記ヒートスプレッダの連結部位とずれるように連結される、請求項１６に記載のディスプレイ装置。
【請求項２０】
前記ヒートスプレッディングモジュールは、前記ヒートスプレッダと同一平面に配置されて、前記ヒートスプレッディングモジュールの強度を補強する補強フレームを含む、請求項１５に記載のディスプレイ装置。
【請求項２１】
前記補強フレームは、水平方向に延びる少なくとも一つの水平部と、垂直方向に延びる少なくとも一つの垂直部と、を含む、請求項２０に記載のディスプレイ装置。
【請求項２２】
少なくとも一つの前記水平部は、互いに平行に上下に離隔配置された一対の水平部を含み、
前記垂直部は、その上端及び下端が一対の前記水平部の中央部にそれぞれ連結される一つの垂直部を含み、
少なくとも一つの前記ヒートスプレッダは、複数個が互いに幅方向に連結されて、前記水平部どうし間に配置される、請求項２１に記載のディスプレイ装置。
【請求項２３】
少なくとも一つの前記水平部は、互いに平行に上下に離隔配置された複数の水平部を含み、
前記垂直部は、その上端及び下端が一対の前記水平部の中央部にそれぞれ連結される一つの垂直部を含み、
少なくとも一つの前記ヒートスプレッダは、前記水平部と交互に配置される複数の前記ヒートスプレッダを含む、請求項２１に記載のディスプレイ装置。
【発明の詳細な説明】
【技術分野】
【０００１】
放熱効果をより増大させることができるように改善されたディスプレイ装置に関する。
【背景技術】
【０００２】
ディスプレイ装置は、画面に映像を表示する装置であって、代表的にＴＶ、コンピュータモニタなどがこれに該当する。
【０００３】
最近、薄型化、軽量化、及び低消費電力化を達成するために、陰極線管表示素子（Ｃａｔｈｏｄｅ−Ｒａｙ  Ｔｕｂｅ  Ｄｉｓｐｌａｙ  ｄｅｖｉｃｅ）を代替する平板ディスプレイ装置（Ｆｌａｔ  Ｐａｎｅｌ  Ｄｉｓｐｌａｙ  ｄｅｖｉｃｅ）の開発が進んでいる。
【０００４】
平板ディスプレイ装置（Ｆｌａｔ  Ｄｉｓｐｌａｙ  ｄｅｖｉｃｅ）は、発光型と受光型とに大別することができる。発光型としては、プラズマディスプレイパネル（Ｐｌａｓｍａ  Ｄｉｓｐｌａｙ  Ｐａｎｅｌ；ＰＤＰ）と有機発光ダイオード（Ｏｒｇａｎｉｃ  Ｌｉｇｈｔ  Ｅｍｉｔｔｉｎｇ  Ｄｉｏｄｅ；ＯＬＥＤ）などがある。受光型としては、液晶ディスプレイ（Ｌｉｑｕｉｄ  Ｃｒｙｓｔａｌ  Ｄｉｓｐｌａｙ；ＬＣＤ）がある。
【０００５】
このうち、有機発光ダイオードを用いたディスプレイ装置は、液晶ディスプレイ装置に比べて輝度特性及び視野角特性に優れ、バックライトユニットを必要としないので超薄型で具現することができるという長所がある。
【発明の概要】
【発明が解決しようとする課題】
【０００６】
本発明の一側面は、動作時に発生する熱をより効率的に分散させて、放熱効果を増加させることができるディスプレイ装置を提供する。
【課題を解決するための手段】
【０００７】
本発明の一実施例に係るディスプレイ装置は、ディスプレイパネルと、ディスプレイパネルと対応する形状に形成されて、ディスプレイパネルの後面を支持する板状のヒートスプレッディングモジュールとを含み、ヒートスプレッディングモジュールは、板状に形成された少なくとも一つのヒートスプレッダを含み、少なくとも一つのヒートスプレッダは、内部に注入される作動流体と、作動流体の案内のためにその内部に設けられた少なくとも一つのチャネルとを含む。
【０００８】
ディスプレイパネルは、有機発光ダイオードパネルで形成される。また、ヒートスプレッディングモジュールの後面に配置される少なくとも一つの印刷回路基板を含む。また、少なくとも一つのヒートスプレッダは、幅と、幅に比べて長い長さを有するように形成される。また、少なくとも一つのヒートスプレッダは、その幅方向に互いに連結される複数のヒートスプレッダを含む。また、ヒートスプレッディングモジュールは、ディスプレイパネルの左右幅と対応する長さを有し、複数のヒートスプレッダは、ディスプレイパネルの上下幅と対応するように上下方向に互いに連結される。
【０００９】
また、ヒートスプレッディングモジュールは、ディスプレイパネルの上下幅と対応する長さを有する複数のヒートスプレッダを含み、複数のヒートスプレッダは、ディスプレイパネルの左右幅と対応するように左右方向に互いに連結される。
【００１０】
また、複数個のヒートスプレッダは、ディスプレイパネルの左右幅と対応する長さを有するように、その長手方向に互いに連結されて一つの列を形成し、ヒートスプレッディングモジュールは、ディスプレイパネルの上下幅と対応するように、その幅方向に互いに連結された複数列のヒートスプレッダを含み、長手方向に互いに連結されたヒートスプレッダの連結部位は、隣接した列のヒートスプレッダの連結部位とずれるように連結される。
【００１１】
また、チャネルは、ヒートスプレッダの長手方向に延び、複数個がヒートスプレッダの幅方向に並設される。また、ヒートスプレッディングモジュールは、ヒートスプレッダと同一平面に配置されて、ヒートスプレッディングモジュールの強度を補強する補強フレームを含む。また、補強フレームは、水平方向に延びる少なくとも一つの水平部と、垂直方向に延びる少なくとも一つの垂直部と、を含む。
【００１２】
また、少なくとも一つの水平部は、互いに平行に上下に離隔配置された一対の水平部を含み、垂直部は、その上端及び下端が一対の水平部の中央部にそれぞれ連結される一つの垂直部を含み、少なくとも一つのヒートスプレッダは、複数個が互いに幅方向に連結されて、水平部どうし間に配置される。
【００１３】
また、少なくとも一つの水平部は、互いに平行に上下に離隔配置された複数の水平部を含み、垂直部は、その上端及び下端が一対の水平部の中央部にそれぞれ連結される一つの垂直部を含み、少なくとも一つのヒートスプレッダは、水平部と交互に配置される複数のヒートスプレッダを含む。
【００１４】
また、本発明の一側面に係るディスプレイ装置は、有機発光ダイオードパネルからなるディスプレイパネルと、ディスプレイパネルと対応する形状に形成されて、ディスプレイパネルの後面を支持し、ディスプレイパネルで発生した熱を分散させる板状のヒートスプレッディングモジュールと、ヒートスプレッディングモジュールの後面に設置される少なくとも一つの印刷回路基板と、を含む。
【発明の効果】
【００１５】
上述したように、熱を分散させるために設けられた板状のヒートスプレッディングモジュールがディスプレイパネルを直接支持するので、印刷回路基板で発生した熱だけでなく、ディスプレイパネルで発生した熱もヒートスプレッディングモジュールを通じて分散されて放熱されるので、放熱をより効率的に行うことができる。
【図面の簡単な説明】
【００１６】
【図１】本発明の一実施例に係るディスプレイ装置の構成の分解斜視図である。
【図２】本発明の一実施例に係るディスプレイ装置に適用されたヒートスプレッダの断面図である。
【図３】本発明の一実施例に係るディスプレイ装置に適用されたヒートスプレッディングモジュールの斜視図である。
【図４】本発明の一実施例に係るディスプレイ装置に適用されたヒートスプレッダの設置構造を示す部分拡大斜視図である。
【図５】本発明の様々な実施例に係るディスプレイ装置に適用されたヒートスプレッディングモジュールの斜視図である
【図６】本発明の様々な実施例に係るディスプレイ装置に適用されたヒートスプレッディングモジュールの斜視図である
【図７】本発明の様々な実施例に係るディスプレイ装置に適用されたヒートスプレッディングモジュールの斜視図である
【図８】本発明の様々な実施例に係るディスプレイ装置に適用されたヒートスプレッディングモジュールの斜視図である
【図９】本発明の様々な実施例に係るディスプレイ装置に適用されたヒートスプレッディングモジュールの斜視図である
【発明を実施するための形態】
【００１７】
以下では、本発明に係る実施例について添付の図面を参照して詳細に説明する。
【００１８】
図１に示すように、ディスプレイ装置１は、前面に露出するように配置され、映像が表示されるディスプレイパネル１０と、ディスプレイパネル１０の後方に配置され、ディスプレイ装置１の後方側の外観を形成するリアカバー６０と、を含む。ディスプレイパネル１０は、有機発光ダイオードパネルからなり、映像が表示される活性領域（ａｃｔｉｖｅ  ａｒｅａ）と映像が表示されない非活性領域（ｉｎａｃｔｉｖｅ  ａｒｅａ）とに区分される。
【００１９】
ディスプレイパネル１０の活性領域は、ガラス基板上に複数の薄膜トランジスタ（図示せず）が形成され、薄膜トランジスタ上には、画素を形成するための液晶層または有機物層が形成されており、薄膜トランジスタのオン／オフ制御を通じて映像が表示される。
【００２０】
ディスプレイパネル１０とリアカバー６０との間にはヒートスプレッディングモジュール２０が配置される。ヒートスプレッディングモジュール２０は、熱を分散させて容易に空気中に放熱できるようにする構成で、ディスプレイパネル１０と対応する形状及び面積を有する板状に形成されて、その前面がディスプレイパネル１０の後面に密着支持される。
【００２１】
このとき、ヒートスプレッディングモジュール２０を一定以上の強度を有するように設計して、上述したように、ディスプレイパネル１０の後面を支持するようにすると、ヒートスプレッディングモジュール２０がディスプレイパネル１０の強度を補強する補強部材の役割を果たす。ヒートスプレッディングモジュール２０の後方には、各種印刷回路基板３１，３２が装着されるホルダー３０が結合され、ホルダー３０とヒートスプレッディングモジュール２０との間には、高い熱伝達率を有する材質で形成されて、印刷回路基板３１，３２で発生した熱をより効率的にヒートスプレッディングモジュール２０に伝達できるようにする放熱シート７０が配置される。
【００２２】
ホルダー３０に設置される印刷回路基板３１，３２には、外部電源とディスプレイ装置１を連結し、ＳＭＰＳ（Ｓｗｉｔｃｈｅｄ  Ｍｏｄｅ  Ｐｏｗｅｒ  Ｓｕｐｐｌｙ）を含む電源基板３１と、ディスプレイパネル１０で表示される映像信号を生成するメイン基板３２と、メイン基板３２で生成された映像信号をディスプレイパネル１０に伝達する信号伝達基板（図示せず）などを含む。
【００２３】
上述したように、ヒートスプレッディングモジュール２０の前面はディスプレイパネル１０に密着されているので、ディスプレイパネル１０で発生した熱は、ヒートスプレッディングモジュール２０に伝達されて、ヒートスプレッディングモジュール２０の後面を介して空気中に放熱され得るので、ディスプレイパネル１０の熱は効率的に放熱される。すなわち、本実施例において、ヒートスプレッディングモジュール２０は、印刷回路基板３１，３２で発生した熱だけでなくディスプレイパネル１０で発生した熱も放熱できるようになる。ヒートスプレッディングモジュール２０は、熱を分散させて容易に放熱が行われるようにする役割を果たすヒートスプレッダ２１を含む。
【００２４】
ヒートスプレッダ２１は、一定の幅と、幅に比べて長い長さを有する板状に形成されており、内部には、図２に示すように、内部に注入された作動流体２１ｂの移動を案内できるようにチャネル２１ａが設けられる。チャネル２１ａは、ヒートスプレッダ２１の長手方向に延びており、複数個がヒートスプレッダ２１の幅方向に並設される。また、各チャネル２１ａの壁には、作動流体２１ｂの移動を容易に行うことができるように、ヒートスプレッダ２１の長手方向に延びた複数の突起２１ｃが設けられる。また、ヒートスプレッダ２１は、アルミニウム材質で形成され、作動流体２１ｂとしては、容易に液体から気体に相変化がなされ、アルミニウムを酸化させない物質であるアセトンが使用される。
【００２５】
このようなヒートスプレッダ２１は、ディスプレイパネル１０と対応する形状になるように、複数個が幅方向に互いに連結されてヒートスプレッディングモジュール２０を形成する。すなわち、ヒートスプレッダ２１は、図３に示すように、ディスプレイパネル１０の左右幅と対応する長さを有するように形成され、ディスプレイパネル１０の上下幅に対応するように複数個が幅方向に互いに連結されて、ヒートスプレッディングモジュール２０がディスプレイパネル１０と対応する形状を有するようになる。
【００２６】
ディスプレイパネル１０とリアカバー６０との間には、ヒートスプレッディングモジュール２０の前面がディスプレイパネル１０の後面に密着するようにするブラケット４０が設けられる。ブラケット４０は、両面テープまたは接着剤などの接着手段を通じてディスプレイパネル１０及びヒートスプレッディングモジュール２０に付着される。ブラケット４０は、図４に示すように、ディスプレイパネル１０に付着される第１結合部４１と、ヒートスプレッディングモジュール２０に付着される第２結合部４２と、を含む。
【００２７】
第１結合部４１は、ヒートスプレッディングモジュール２０の側面外側においてディスプレイパネル１０に付着されて、ディスプレイパネル１０の縁の強度を補強する。また、第１結合部４１は、ディスプレイパネル１０の縁を保護するために、ディスプレイパネル１０の縁と同一であったり、ディスプレイパネル１０の縁よりも外郭に突出するように設けられる。
【００２８】
第２結合部４２は、ヒートスプレッディングモジュール２０とリアカバー６０との間に配置されて、ヒートスプレッディングモジュール２０の後面に付着され、ヒートスプレッディングモジュール２０をディスプレイパネル１０の側に加圧して、ヒートスプレッディングモジュール２０がディスプレイパネル１０に密着するようにすることで、ディスプレイパネル１０で発生した熱が効果的にヒートスプレッディングモジュール２０に伝達され得るようにする。
【００２９】
また、ディスプレイ装置１は、ディスプレイ装置１の側面縁部を形成するサイドカバー５０を含む。サイドカバー５０は、ディスプレイパネル１０からリアカバー６０までの構成要素の側面外側に配置されて、ディスプレイ装置１の外観を形成する枠部５１と、枠部５１から内側に延びて、ブラケット４０の後面を支持する支持部５２と、を含む。
【００３０】
本実施例では、ホルダー３０とヒートスプレッディングモジュール２０との間に放熱シート７０が配置されているが、これに限定されるものではなく、ホルダー３０を、高い熱伝逹率を有する材質で形成して、ホルダー３０が放熱シート７０の役割を果たすようにしてもよい。
【００３１】
また、本実施例において、印刷回路基板３１，３２は、ホルダー３０を通じてヒートスプレッディングモジュール２０に設置されるようになっているが、これに限定されるものではなく、ヒートスプレッディングモジュール２０にねじ（図示せず）が締結される締結部（図示せず）を形成して、ねじで印刷回路基板３１，３２をヒートスプレッディングモジュール２０に直接設置してもよい。
【００３２】
以下では、本発明の様々な実施例に係るヒートスプレッディングモジュールを図面を参照して詳細に説明する。
【００３３】
図５に開示された実施例において、ヒートスプレッディングモジュール２０−１は、ディスプレイパネル１０の上下幅と対応する長さを有するように形成されたヒートスプレッダ２１からなっており、複数のヒートスプレッダ２１が、ディスプレイパネル１０の左右幅と対応するように幅方向に互いに連結されて、ディスプレイパネル１０と対応する形状になる。
【００３４】
図６に開示された実施例において、ヒートスプレッディングモジュール２０−２は、ディスプレイパネル１０の左右幅と対応する長さを有するように、その長手方向に互いに連結されて一つの列を形成する複数のヒートスプレッダ２１を含み、ディスプレイパネル１０の上下幅と対応する幅を有するように列をなす複数のヒートスプレッダ２１は、幅方向に複数列のヒートスプレッダ２１が連結されて、ディスプレイパネル１０と対応する形状になる。このとき、二つのヒートスプレッダ２１が連結されている連結部位は、他の部位に比べて相対的に剛性が弱いことがあるので、それを補完するために、長手方向に互いに連結されたヒートスプレッダ２１の連結部位は、隣接した列のヒートスプレッダ２１の連結部位とずれるように連結される。
【００３５】
上記でヒートスプレッディングモジュール２０，２０−１，２０−２は、ヒートスプレッダ２１のみで形成されているが、このように、ヒートスプレッディングモジュール２０をヒートスプレッダ２１のみで形成する場合、ヒートスプレッダ２１の材質によってはヒートスプレッディングモジュール２０が十分な強度を有することができないため、ディスプレイパネル１０を支持する役割を果たすことができなくなることもある。
【００３６】
したがって、図７乃至図９に示すように、十分な強度を得ることができるように、ヒートスプレッディングモジュール２０−３，２０−４，２０−５が、複数のヒートスプレッダ２１と、ヒートスプレッダ２１に比べて大きな強度を有する材質で形成されて、ヒートスプレッダ２１を支持する補強フレーム２２，２２’，２２”と、からなるようにすることも可能である。
【００３７】
ヒートスプレッディングモジュール２０−３，２０−４，２０−５に適用された補強フレーム２２，２２’，２２”は、水平方向に延びた少なくとも一つの水平部２２ａと、垂直方向に延びた少なくとも一つの垂直部２２ｂとを含んでなる。
【００３８】
図７に開示された実施例において、ヒートスプレッディングモジュール２０−３は、互いに離隔する一対の水平部２２ａと、二つの水平部２２ａの中央部を連結する一つの垂直部２２ｂとを含む補強フレーム２２と、互いに幅方向に連結されて、二つの水平部２２ａの間の空間に設置される複数のヒートスプレッダ２１と、を含む。
【００３９】
図８に開示された実施例において、ヒートスプレッディングモジュール２０−４は、互いに離隔する複数の水平部２２ａと、複数の水平部２２ａの中央部を連結する一つの垂直部２２ｂとを含む補強フレーム２２’と、複数の水平部２２ａと交互に配置されている複数のヒートスプレッダ２１と、を含む。
【００４０】
図９に開示された実施例において、ヒートスプレッディングモジュール２０−５は、互いに離隔する一対の水平部２２ａと、二つの水平部２２ａの両端を連結する一対の垂直部２２ｂとを含んで矩形状をなす補強フレーム２２”と、互いに幅方向に連結されて補強フレーム２２”の内側に設置された複数のヒートスプレッダ２１と、を含む。
【００４１】
本発明は、上記に記載された実施例に限定されるものではなく、本発明の思想から逸脱しない範囲で多様に修正及び変形可能であるということは、この技術の分野における通常の知識を有する者にとって自明である。したがって、修正例または変形例は本発明の特許請求の範囲に属するものと解さねばならない。
【符号の説明】
【００４２】
１      ディスプレイ装置
１０    ディスプレイパネル
２０    ヒートスプレッディングモジュール
２１    ヒートスプレッダ
２１ａ  チャネル
２１ｂ  作動流体
２１ｃ  突起
２２    補強フレーム
３１，３２  印刷回路基板
４０    ブラケット
５０    サイドカバー
６０    リアカバー
７０    放熱シート
【図１】
2014013378.tif 000003
【図２】
2014013378.tif 000004
【図３】
2014013378.tif 000005
【図４】
2014013378.tif 000006
【図５】
2014013378.tif 000007
【図６】
2014013378.tif 000008
【図７】
2014013378.tif 000009
【図８】
2014013378.tif 000010
【図９】
2014013378.tif 000011